(57)【要約】【課題】小さな子供や体の不自由な人などが使用する場合であっても、頭部への固定を容易に行える防災頭巾を提供する。【解決手段】防災頭巾１は、中央部分で二つ折りされた折り曲げ部２ａを有する長尺の繊維体で形成され、繊維体の長手方向両端部のうち、一端部を開閉自在な開放端２ｂとし、他端部を折り曲げ部２ａから所定長縫着して閉鎖端２ｃとし、開放端２ｂを開いて形成される開口から頭部に装着される。防災頭巾１は、折り曲げ部２ａを含み少なくとも頭部を保護する頭部保護部２ｅと、頭部保護部２ｅから両側に延設され肩部を保護する２つの肩部保護部２ｆと、頭部保護部２ｅと２つの肩部保護部２ｆとの境界部分に挿通して設けられた紐部材３と、紐部材３が挿通され防災頭巾１の前方および後方に設けられた２つの係止部材５，６とを有し、２つの係止部材５，６はそれぞれ紐部材３に対して相対的に移動可能に設けられている。【選択図】図１
2013236715.tif 000002
【特許請求の範囲】
【請求項１】
中央部分で二つ折りされた折り曲げ部を有する長尺の繊維体で形成され、該繊維体の長手方向両端部のうち、一端部を開閉自在な開放端とし、他端部を前記折り曲げ部から所定長縫着して閉鎖端とし、前記開放端を開いて形成される開口から頭部に装着可能な防災頭巾であって、
該防災頭巾は、前記折り曲げ部を含み少なくとも頭部を保護する頭部保護部と、該頭部保護部から両側に延設され肩部を保護する２つの肩部保護部と、前記頭部保護部と前記２つの肩部保護部との境界部分に挿通して設けられた紐部材と、該紐部材が挿通され前記防災頭巾の前方および後方に設けられた２つの係止部材とを有し、
該２つの係止部材はそれぞれ前記紐部材に対して相対的に移動可能に設けられていることを特徴とする防災頭巾。
【請求項２】
前記紐部材は、前記頭部保護部と前記２つの肩部保護部との境界部分にそれぞれ挿通して設けられた２本の紐部材であることを特徴とする請求項１に記載の防災頭巾。
【請求項３】
前記係止部材には、前記紐部材を挿通させるための２つの貫通孔が近接して形成され、該貫通孔の内周面と前記紐部材の外周面とが接触していることを特徴とする請求項１または２に記載の防災頭巾。
【請求項４】
前記２つの貫通孔は、該貫通孔の奥行き方向中央部を最小径とし、該中央部から外側に向けて孔径がテーパ状に大きくなっていることを特徴とする請求項３に記載の防災頭巾。
【請求項５】
前記２つの貫通孔は、互いに逆向きに傾斜していることを特徴とする請求項３に記載の防災頭巾。
【請求項６】
前記防災頭巾の前方に設けられた係止部材と前記紐部材の前端部との間に、該紐部材が挿通された２つの係止補助部材を有し、該２つの係止補助部材はそれぞれ前記紐部材に対して相対的に移動可能に設けられていることを特徴とする請求項３〜５のいずれか１項に記載の防災頭巾。
【発明の詳細な説明】
【技術分野】
【０００１】
本発明は、防災頭巾に関し、より詳細には、地震や火事等の災害時に使用する防災頭巾に関する。
【背景技術】
【０００２】
従来、家庭や学校等において、地震や火事などの災害時に身の安全を守るために、防災頭巾が備えられている。一般的な防災頭巾は、表地および裏地が綿などの繊維体で形成され、その内部に綿などのクッション材を入れた構造になっており、中央部分から略二つに折られた形に形成されている。そして、この防災頭巾は、正面中央部を押し開いて形成される開口から頭部に装着され、落下物からの衝撃をある程度吸収し、避難者を保護するための機能を有している。
【０００３】
上記のような防災頭巾に関して、避難者の保護機能を強化したり、使い勝手を向上させるために様々な提案がなされている。例えば、防災頭巾の内側にポケットを縫い付けておき、避難時に必要なハンカチやタオルなどの小物をポケットに収納できるようにしたものや、特許文献１に記載のように、防災生地を使用することで、頭部、肩、背中を炎から防ぐと共に、小さく畳めるようにして、バック等に収納できる構造にした携帯用防災頭巾などが知られている。
【先行技術文献】
【特許文献】
【０００４】
【特許文献１】実用新案登録第３１０１０８１号公報
【発明の概要】
【発明が解決しようとする課題】
【０００５】
ここで、一般的な防災頭巾は、上記特許文献１に記載されているように、両側部に頭部固定用の紐を有しており、この紐を避難者のあごの下あたりで結ぶことで、防災頭巾を頭部に固定できるようになっている。しかし、このような防災頭巾を小さな子供や体の不自由な人などが使用する場合、頭部への固定が不十分となる場合がある。この場合、防災頭巾の紐を締め直すなどの作業を行う必要があるが、小さな子供や体の不自由な人などが災害時にこのような作業を迅速に行うことは極めて困難と言える。また、母親などの付添人が防災頭巾の紐を締め直すことも考えられるが、災害時に避難者のあごの下あたりで紐を結ぶ作業はやはり容易ではない。
【０００６】
本発明は、上述のような実情に鑑みてなされたもので、小さな子供や体の不自由な人などが使用する場合であっても、頭部への固定を容易に行える防災頭巾を提供することを目的とする。
【課題を解決するための手段】
【０００７】
上記課題を解決するために、本発明の第１の技術手段は、中央部分で二つ折りされた折り曲げ部を有する長尺の繊維体で形成され、該繊維体の長手方向両端部のうち、一端部を開閉自在な開放端とし、他端部を前記折り曲げ部から所定長縫着して閉鎖端とし、前記開放端を開いて形成される開口から頭部に装着可能な防災頭巾であって、該防災頭巾は、前記折り曲げ部を含み少なくとも頭部を保護する頭部保護部と、該頭部保護部から両側に延設され肩部を保護する２つの肩部保護部と、前記頭部保護部と前記２つの肩部保護部との境界部分に挿通して設けられた紐部材と、該紐部材が挿通され前記防災頭巾の前方および後方に設けられた２つの係止部材とを有し、該２つの係止部材はそれぞれ前記紐部材に対して相対的に移動可能に設けられていることを特徴としたものである。
【０００８】
第２の技術手段は、第１の技術手段において、前記紐部材は、前記頭部保護部と前記２つの肩部保護部との境界部分にそれぞれ挿通して設けられた２本の紐部材であることを特徴としたものである。
【０００９】
第３の技術手段は、第１または第２の技術手段において、前記係止部材には、前記紐部材を挿通させるための２つの貫通孔が近接して形成され、該貫通孔の内周面と前記紐部材の外周面とが接触していることを特徴としたものである。
【００１０】
第４の技術手段は、第３の技術手段において、前記２つの貫通孔は、該貫通孔の奥行き方向中央部を最小径とし、該中央部から外側に向けて孔径がテーパ状に大きくなっていることを特徴としたものである。
【００１１】
第５の技術手段は、第３の技術手段において、前記２つの貫通孔は、互いに逆向きに傾斜していることを特徴としたものである。
【００１２】
第６の技術手段は、第３〜第５のいずれか１の技術手段において、前記防災頭巾の前方に設けられた係止部材と前記紐部材の前端部との間に、該紐部材が挿通された２つの係止補助部材を有し、該２つの係止補助部材はそれぞれ前記紐部材に対して相対的に移動可能に設けられていることを特徴としたものである。
【発明の効果】
【００１３】
本発明によれば、防災頭巾の前方および後方に係止部材を設けたため、小さな子供や体の不自由な人などが使用する場合であっても、防災頭巾の頭部への固定を容易に行うことができる。
【図面の簡単な説明】
【００１４】
【図１】本発明による防災頭巾を斜めから見たときの状態の一例を示す図である。
【図２】図１（Ｂ）の防災頭巾を前方および後方から見たときの状態を示す図である。
【図３】防災頭巾を構成する係止部材の断面構造の一例を示す図である。
【発明を実施するための形態】
【００１５】
以下、添付図面を参照しながら、本発明の防災頭巾に係る好適な実施の形態について説明する。
【００１６】
図１は、本発明による防災頭巾を斜めから見たときの状態の一例を示す図で、図中、１は防災頭巾を示す。防災頭巾１は、中央部分で二つ折りされた折り曲げ部２ａを有する長尺の繊維体で形成され、繊維体の長手方向両端部のうち、一端部を開閉自在な開放端２ｂとし、他端部を折り曲げ部２ａから所定長縫着して閉鎖端２ｃとし、開放端２ｂを開いて形成される開口から頭部に装着されるように構成されている。
【００１７】
そして、防災頭巾１は、折り曲げ部２ａを含み少なくとも頭部を保護する頭部保護部２ｅと、頭部保護部２ｅから両側に延設され肩部を保護する２つの肩部保護部２ｆと、頭部保護部２ｅと２つの肩部保護部２ｆとの境界部分に形成された紐挿通用の２つの長孔２ｄ，２ｄ′と、２つの長孔２ｄ，２ｄ′にそれぞれ挿通して設けられた２本の紐部材３と、２本の紐部材３が挿通され防災頭巾１の前方および後方に設けられた２つの係止部材５，６とを有している。これら２つの係止部材５，６はそれぞれ２本の紐部材３に対して相対的に移動可能に設けられている。なお、紐部材３の両端部には結び目４が形成されており、この結び目４により係止部材５，６が紐部材４から脱落しないように防止している。
【００１８】
上記において、頭部保護部２ｅには、例えば、低反発ウレタン等で構成されたクッション部材が設けられている。また、防災頭巾１の表地、裏地には、一般的な綿繊維をはじめ、アクリル系やポリエステル系などの難燃繊維、あるいは、防護性に優れたアラミド繊維を使用するようにしてもよい。アラミド繊維としては、例えば、帝人株式会社製のコーネックス（登録商標）が好適である。このコーネックス（登録商標）は、ＩＳＯ１５０２５燃焼性試験に合格し、消防服等にも使用されている素材であり、防護性に加え、耐熱性、防炎性、遮熱性に優れたものである。
【００１９】
図１（Ａ）は頭部装着前の防災頭巾１の状態を示し、図１（Ｂ）は頭部装着時の防災頭巾１の状態を示す。また、図２（Ａ）は図１（Ｂ）の防災頭巾１を前方から見たときの状態を示し、図２（Ｂ）は図１（Ｂ）の防災頭巾１を後方から見たときの状態を示す。防災頭巾１の頭部装着前には、図１（Ａ）に示すように、２つの係止部材５，６のうち、後方側の係止部材６が閉鎖端２ｃ近傍にセットされ、前方側の係止部材５が開放端２ｂから離れてセットされる。そして、避難者は、この防災頭巾１を、開放端２ｂを開いて形成される開口から頭部に装着した後に、前方側の係止部材５を紐部材３に沿って防災頭巾１の方向（図１（Ａ）の矢印の方向）に移動させ、適当な位置で紐部材３に係止させる。このときの状態を図１（Ｂ）に示す。
【００２０】
ここで、上記の防災頭巾１を小さな子供や体の不自由な人などが使用する場合、前方からの係止部材５による固定だけでは頭部への固定が不十分となる場合がある。このような場合に、親などの付添人が、後方側の係止部材６を防災頭巾１の方向（図１（Ｂ）の矢印の方向）に移動させることで、防災頭巾１が頭部にしっかり固定されるように調整することができる。なお、上記以外の他の使用方法も可能である。例えば、防災頭巾１の頭部装着前に、２つの係止部材５，６のうち、前方側の係止部材５が開放端２ｂ近傍にセットされ、後方側の係止部材６が閉鎖端２ｃから離れてセットされていてもよい。そして、防災頭巾１を避難者の頭部に装着した後に、母親などの付添人が後方側の係止部材６を紐部材３に沿って防災頭巾１の方向に移動させ、適当な位置で紐部材３に係止させるようにしてもよい。この例の場合、前方側の係止部材５を移動させることなく、後方の係止部材６のみを移動、調整することで、防災頭巾１を頭部に固定することができる。
【００２１】
係止部材５，６の構造について特に限定するものではないが、本例の係止部材５，６は、２本の紐部材３を挿通させるための２つの貫通孔が近接して形成されており、これら２つの貫通孔の内周面と紐部材３の外周面とが接触している。具体的には、２つの貫通孔の直径と紐部材３の直径とを略同じにすることが望ましい。これにより、係止部材５．６の貫通孔の内周面と紐部材３の外周面とが接触するため、係止部材５，６を紐部材３に対して移動させるときにある程度の抵抗が発生する。この抵抗により係止部材５，６を紐部材３に対して相対的に移動させると共に、紐部材３の任意の位置に止めておくことが可能となる。
【００２２】
上記において、紐部材３は例えば綿などの繊維で構成されているため、適度な柔軟性を持っている。このため、係止部材５，６の貫通孔の直径と紐部材３の直径とを略同じとした場合でも、紐部材３を径方向に押圧することで係止部材５，６の貫通孔に挿通させることができる。
【００２３】
また、防災頭巾１の頭部保護部２ｅと２つの肩部保護部２ｆとの境界部分には２本の紐部材３がそれぞれ挿通されており、この紐部材３の後端部は分離されている。ここで、紐部材３の後端部あるいは前端部が繋がっており、紐部材３が１本で形成されていてもよいが、１本で形成した場合は、前後のいずれかがループ状になるため、避難時に紐部材３を周辺のものに引っ掛けてしまう虞がある。これに対して、上記のように紐部材３の後端部を分離しておくことで、このような虞はなく、安全に避難することができるため、より望ましい。
【００２４】
図３は、防災頭巾１を構成する係止部材の断面構造の一例を示す図である。なお、ここでは、前方側の係止部材５を例示して説明するが、後方側の係止部材６についても同様の構造である。
【００２５】
係止部材５の基本的な構造を図３（Ａ）に示す。図３（Ａ）に例示される係止部材５は、２本の紐部材３を挿通させるための２つの貫通孔５ａが近接して形成されている。そして、前述したように、貫通孔５ａの直径と紐部材３の直径とを略同じにして、係止部材５の貫通孔５ａの内周面と紐部材３の外周面とを接触させるようにしたため、係止部材５を紐部材３に対して移動させるときにある程度の抵抗を付与することができる。この抵抗により係止部材５を紐部材３に対して相対的に移動させ、且つ、紐部材３の任意の位置に止めておくことが可能となる。
【００２６】
また、図３（Ｂ）に係止部材５の別の例を示す。図３（Ｂ）に例示される係止部材５は、２つの貫通孔５ｂを有し、これら２つの貫通孔５ｂは、貫通孔５ｂの奥行き方向中央部を最小径とし、中央部から外側に向けて孔径がテーパ状に大きくなっている。すなわち、図３（Ａ）の２つの貫通孔５ａの奥行き方向中央部を狭くすることで、図３（Ａ）の構造と比べより大きな抵抗を付与することができ、防災頭巾１を頭部にしっかり固定することができる。
【００２７】
また、図３（Ｃ）に係止部材５のさらに別の例を示す。図３（Ｃ）に例示される係止部材５は、２つの貫通孔５ｃを有し、これら２つの貫通孔５ｃは、互いに逆向きに傾斜している。すなわち、図３（Ａ）の２つの貫通孔５ａを互いに逆向きに傾斜させることで、図３（Ａ）の構造と比べより大きな抵抗を付与することができ、防災頭巾１を頭部にしっかり固定することができる。
【００２８】
また、図３（Ｄ）に係止部材５のさらに別の例を示す。本例の場合、係止部材５の構造自体は図３（Ａ）と同様であるが、係止部材５と２本の紐部材３の前端部との間に、２本の紐部材３が挿通された２つの係止補助部材７を有する。２つの係止補助部材７はそれぞれ２本の紐部材３に対して相対的に移動可能に設けられ、例えば、ゴムリングのように、摩擦抵抗の大きな樹脂製のリング部材で例示できる。すなわち、図３（Ａ）の係止部材５に加え、係止補助部材７を設けることで、図３（Ａ）の構造と比べより大きな抵抗を付与することができ、防災頭巾１を頭部にしっかり固定することができる。
【００２９】
なお、上記の係止補助部材７は、図３（Ｂ）の構造あるいは図３（Ｃ）の構造についても、図３（Ａ）の構造と同様に適用することができる。
【符号の説明】
【００３０】
１…防災頭巾、２ａ…折り曲げ部、２ｂ…開放端、２ｃ…閉鎖端、２ｄ，２ｄ′…長孔、２ｅ…頭部保護部、２ｆ…肩部保護部、３…紐部材、４…結び目、５，６…係止部材、７…係止補助部材。
【図１】
2013236715.tif 000003
【図２】
2013236715.tif 000004
【図３】
2013236715.tif 000005